(57)【要約】【課題】小型でありながらも諸収差が良好に補正された、Ｆ２．０程度の明るい５枚構成の撮像レンズを提供する。【解決手段】撮像レンズＬＮは、物体側より順に、開口絞りＳＴと、正の第１レンズＬ１と、負の第２レンズＬ２と、第３レンズＬ３と、正の第４レンズＬ４と、負の第５レンズＬ５とからなり、条件式：０．８≦（ｒ２Ｆ＋ｒ２Ｒ）／（ｒ２Ｆ−ｒ２Ｒ）≦１．２，０．８≦（ｒ４Ｆ＋ｒ４Ｒ）／（ｒ４Ｆ−ｒ４Ｒ）≦１．６，−１．６≦ｆ２／ｆ≦−０．８，−０．２１２≦Ｔ５／ｆ５≦−０．０１０（ｒ２Ｆ：第２レンズＬ２の物体側面の曲率半径、ｒ２Ｒ：第２レンズＬ２の像側面の曲率半径、ｒ４Ｆ：第４レンズＬ４の物体側面の曲率半径、ｒ４Ｒ：第４レンズＬ４の像側面の曲率半径、ｆ２：第２レンズＬ２の焦点距離、ｆ：撮像レンズＬＮ全系の焦点距離、Ｔ５：第５レンズＬ５の光軸ＡＸ上の厚み、ｆ５：第５レンズＬ５の焦点距離）を満足し、撮像素子の撮像面に被写体像を結像させる。【選択図】図１
2014123097.tif 000002
【特許請求の範囲】
【請求項１】
撮像素子の撮像面に被写体像を結像させるための撮像レンズであって、物体側より順に、開口絞りと、正の第１レンズと、負の第２レンズと、第３レンズと、正の第４レンズと、負の第５レンズとからなり、以下の条件式（１）〜（４）を満足することを特徴とする撮像レンズ；
０．８≦（ｒ２Ｆ＋ｒ２Ｒ）／（ｒ２Ｆ−ｒ２Ｒ）≦１．２  …（１）
０．８≦（ｒ４Ｆ＋ｒ４Ｒ）／（ｒ４Ｆ−ｒ４Ｒ）≦１．６  …（２）
−１．６≦ｆ２／ｆ≦−０．８  …（３）
−０．２１２≦Ｔ５／ｆ５≦−０．０１０  …（４）
ただし、
ｒ２Ｆ：第２レンズの物体側面の曲率半径、
ｒ２Ｒ：第２レンズの像側面の曲率半径、
ｒ４Ｆ：第４レンズの物体側面の曲率半径、
ｒ４Ｒ：第４レンズの像側面の曲率半径、
ｆ２：第２レンズの焦点距離、
ｆ：撮像レンズ全系の焦点距離、
Ｔ５：第５レンズの光軸上の厚み、
ｆ５：第５レンズの焦点距離、
である。
【請求項２】
以下の条件式（５）を満足することを特徴とする請求項１記載の撮像レンズ；
０．４≦ｆ１／ｆ≦０．８  …（５）
ただし、
ｆ１：第１レンズの焦点距離、
ｆ：撮像レンズ全系の焦点距離、
である。
【請求項３】
以下の条件式（６）を満足することを特徴とする請求項１又は２記載の撮像レンズ；
０．１５≦Ｔ１／ｆ≦０．２８  …（６）
ただし、
Ｔ１：第１レンズの光軸上の厚み、
ｆ：撮像レンズ全系の焦点距離、
である。
【請求項４】
前記第５レンズの像側面が、光軸上で像側に凹面を向けた非球面形状を有し、光軸に沿ったレンズ断面の輪郭線において光軸との交点から有効領域端に向かった場合に光軸との交点以外の位置に変曲点を有することを特徴とする請求項１〜３のいずれか１項に記載の撮像レンズ。
【請求項５】
請求項１〜４のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項６】
請求項５記載の撮像光学装置を備えることにより、被写体の静止画撮影，動画撮影のうちの少なくとも一方の機能が付加されたことを特徴とするデジタル機器。
【請求項７】
携帯端末であることを特徴とする請求項６記載のデジタル機器。
【発明の詳細な説明】
【技術分野】
【０００１】
本発明は、撮像レンズに関するものである。更に詳しくは、被写体の映像を撮像素子（例えば、ＣＣＤ(Charge Coupled Device)型イメージセンサ，ＣＭＯＳ(Complementary Metal-Oxide Semiconductor)型イメージセンサ等の固体撮像素子）で取り込む撮像光学装置と、それを搭載した画像入力機能付きデジタル機器と、撮像素子の受光面上に被写体の光学像を高い解像力で形成する小型の撮像レンズと、に関するものである。
【背景技術】
【０００２】
近年、ＣＣＤ型イメージセンサやＣＭＯＳ型イメージセンサ等の固体撮像素子を用いた撮像光学装置が携帯端末に搭載されるようになり、その携帯端末の普及の増大に伴って、より高画質の画像が得られるよう、高画素数を持つ撮像素子を使用した撮像光学装置の搭載されたものが市場に供給されるようになってきている。その高画素数を持つ撮像素子は大型化を伴っていたが、近年、画素の高細化が進み、撮像素子は小型化されるようになってきている。このような高細化された撮像素子に使用される撮像レンズには、高細化された画素に対応するために高い解像力が要求される。
【０００３】
レンズの解像力はＦ値により限界があり、Ｆ値の小さい明るいレンズの方が高解像力を得ることができるため、従来のようにＦ２．８程度のＦ値では十分な性能が得られなくなってきている。そこで、高画素化・高細化・小型化された撮像素子に適した、Ｆ２程度の明るい撮像レンズが求められるようになってきた。このような用途の撮像レンズとして、３枚構成又は４枚構成のレンズに比べ大口径比化及び高性能化が可能であるという理由から、５枚構成の撮像レンズが提案されている。
【０００４】
この５枚構成の撮像レンズとしては、物体側より順に、前群，開口絞り及び後群からなり、前群が正又は負の屈折力を有する第１レンズと正の屈折力を有する第２レンズとで構成され、後群が負の屈折力を有する第３レンズと正の屈折力を有する第４レンズと負又は正の屈折力を有する第５レンズとで構成された撮像レンズが、特許文献１及び特許文献２に開示されている。また、４枚構成の撮像レンズとしては、物体側より順に、前群，開口絞り及び後群からなり、前群が負の屈折力を有する第１レンズと正の屈折力を有する第２レンズとで構成され、後群が負の屈折力を有する第３レンズと正の屈折力を有する第４レンズとで構成された撮像レンズが、特許文献３に開示されている。
【先行技術文献】
【特許文献】
【０００５】
【特許文献１】特開２００７−２７９２８２号公報
【特許文献２】特開２００６−２９３０４２号公報
【特許文献３】特開２００７−３２２８４４号公報
【発明の概要】
【発明が解決しようとする課題】
【０００６】
しかしながら、上記特許文献１に記載の撮像レンズは、前群が球面系で構成されているためＦ２程度に明るくすると、球面収差やコマ収差の補正が不十分となり、良好な性能を確保できなくなる。また、前群及び後群とも正の屈折力を有する構成であるため、後群が負の屈折力を有するテレフォトタイプのような構成に比べ、光学系の主点位置が像側になりバックフォーカスが長くなる。このため、小型化には不利なタイプである。
【０００７】
また、上記特許文献２に記載の撮像レンズは、Ｆ２程度の明るさを有しているが、開口絞りの物体側に配置される第１レンズ及び第２レンズともに正の屈折力を有する構成であるため、前群での色補正が不十分である。さらに、特許文献１に記載のものとと同様に、前群及び後群とも正の屈折力を有する構成であるとともに、最終レンズも正レンズであるため、小型化には不利なタイプである。
【０００８】
さらに、上記特許文献３に記載の撮像レンズは、Ｆ２程度の明るさを有しているが、４枚構成であるため収差補正が不十分である。したがって、高画素化に適した撮像レンズとは言いがたい。
【０００９】
本発明はこのような問題点に鑑みてなされたものであって、その目的は、従来タイプより小型でありながらも諸収差が良好に補正された、Ｆ２．０程度の明るい５枚構成の撮像レンズを提供することにある。
【課題を解決するための手段】
【００１０】
上記目的を達成するために、第１の発明の撮像レンズは、撮像素子の撮像面に被写体像を結像させるための撮像レンズであって、物体側より順に、開口絞りと、正の第１レンズと、負の第２レンズと、第３レンズと、正の第４レンズと、負の第５レンズとからなり、以下の条件式（１）〜（４）を満足することを特徴とする。
０．８≦（ｒ２Ｆ＋ｒ２Ｒ）／（ｒ２Ｆ−ｒ２Ｒ）≦１．２  …（１）
０．８≦（ｒ４Ｆ＋ｒ４Ｒ）／（ｒ４Ｆ−ｒ４Ｒ）≦１．６  …（２）
−１．６≦ｆ２／ｆ≦−０．８  …（３）
−０．２１２≦Ｔ５／ｆ５≦−０．０１０  …（４）
ただし、
ｒ２Ｆ：第２レンズの物体側面の曲率半径、
ｒ２Ｒ：第２レンズの像側面の曲率半径、
ｒ４Ｆ：第４レンズの物体側面の曲率半径、
ｒ４Ｒ：第４レンズの像側面の曲率半径、
ｆ２：第２レンズの焦点距離、
ｆ：撮像レンズ全系の焦点距離、
Ｔ５：第５レンズの光軸上の厚み、
ｆ５：第５レンズの焦点距離、
である。
【００１１】
第２の発明の撮像レンズは、上記第１の発明において、以下の条件式（５）を満足することを特徴とする。
０．４≦ｆ１／ｆ≦０．８  …（５）
ただし、
ｆ１：第１レンズの焦点距離、
ｆ：撮像レンズ全系の焦点距離、
である。
【００１２】
第３の発明の撮像レンズは、上記第１又は第２の発明において、以下の条件式（６）を満足することを特徴とする。
０．１５≦Ｔ１／ｆ≦０．２８  …（６）
ただし、
Ｔ１：第１レンズの光軸上の厚み、
ｆ：撮像レンズ全系の焦点距離、
である。
【００１３】
第４の発明の撮像レンズは、上記第１〜第３のいずれか１つの発明において、前記第５レンズの像側面が、光軸上で像側に凹面を向けた非球面形状を有し、光軸に沿ったレンズ断面の輪郭線において光軸との交点から有効領域端に向かった場合に光軸との交点以外の位置に変曲点を有することを特徴とする。
【００１４】
第５の発明の撮像光学装置は、上記第１〜第４のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。
【００１５】
第６の発明のデジタル機器は、上記第５の発明に係る撮像光学装置を備えることにより、被写体の静止画撮影，動画撮影のうちの少なくとも一方の機能が付加されたことを特徴とする。
【００１６】
第７の発明のデジタル機器は、上記第６の発明において、携帯端末であることを特徴とする。
【発明の効果】
【００１７】
本発明の構成を採用することにより、従来タイプより小型でありながらも諸収差が良好に補正された、Ｆ２．０程度の明るい５枚構成の撮像レンズと、それを備えた撮像光学装置を実現することができる。そして、本発明に係る撮像光学装置を携帯電話，携帯情報端末等のデジタル機器に用いることによって、デジタル機器に対し高性能の画像入力機能をコンパクトに付加することが可能となる。
【図面の簡単な説明】
【００１８】
【図１】第１の実施の形態（実施例１）の光学構成図。
【図２】実施例１の収差図。
【図３】第２の実施の形態（実施例２）の光学構成図。
【図４】実施例２の収差図。
【図５】第３の実施の形態（実施例３）の光学構成図。
【図６】実施例３の収差図。
【図７】第４の実施の形態（実施例４）の光学構成図。
【図８】実施例４の収差図。
【図９】第５の実施の形態（実施例５）の光学構成図。
【図１０】実施例５の収差図。
【図１１】第６の実施の形態（実施例６）の光学構成図。
【図１２】実施例６の収差図。
【図１３】撮像レンズを搭載したデジタル機器の概略構成例を示す模式図。
【発明を実施するための形態】
【００１９】
以下、本発明に係る撮像レンズ等を説明する。本発明に係る撮像レンズは、撮像素子の撮像面（例えば、固体撮像素子の光電変換部）に被写体像を結像させるための撮像レンズであって、物体側より順に、開口絞りと、正の第１レンズと、負の第２レンズと、第３レンズと、正の第４レンズと、負の第５レンズとからなり、以下の条件式（１）〜（４）を満足することを特徴としている。
０．８≦（ｒ２Ｆ＋ｒ２Ｒ）／（ｒ２Ｆ−ｒ２Ｒ）≦１．２  …（１）
０．８≦（ｒ４Ｆ＋ｒ４Ｒ）／（ｒ４Ｆ−ｒ４Ｒ）≦１．６  …（２）
−１．６≦ｆ２／ｆ≦−０．８  …（３）
−０．２１２≦Ｔ５／ｆ５≦−０．０１０  …（４）
ただし、
ｒ２Ｆ：第２レンズの物体側面の曲率半径、
ｒ２Ｒ：第２レンズの像側面の曲率半径、
ｒ４Ｆ：第４レンズの物体側面の曲率半径、
ｒ４Ｒ：第４レンズの像側面の曲率半径、
ｆ２：第２レンズの焦点距離、
ｆ：撮像レンズ全系の焦点距離、
Ｔ５：第５レンズの光軸上の厚み、
ｆ５：第５レンズの焦点距離、
である。
【００２０】
小型で明るく更に収差の良好に補正された撮像レンズを得るために、本発明の基本構成は、開口絞りと、正の第１レンズと、負の第２レンズと、第３レンズと、正の第４レンズ、負の第５レンズと、からなっている。このレンズ構成は、物体側より順に、開口絞り，第１レンズ，第２レンズ，第３レンズ及び第４レンズからなる正レンズ群と、負の第５レンズとで、いわゆるテレフォトタイプの配置になっているため、撮像レンズ全長の小型化には有利な構成である。さらに、５枚構成のうち少なくとも２枚を負レンズとすることで、発散作用を有する面を多くしてペッツバール和の補正を容易としている。このため、画面周辺部まで良好な結像性能を確保した撮像レンズを得ることが可能となる。また、開口絞りを第１レンズの物体側に配置することで、低背化を図っても像側光束のテレセントリック性を確保しやすい構成としている。
【００２１】
条件式（１）は、大口径化を図る上での第２レンズの最適な形状を規定した条件式である。条件式（１）の対応値がその上限を下回ることで、第２レンズの像側面の曲率半径が適切に設定されるため、像側面で発生する高次の球面収差やコマ収差を抑えることができる。一方、条件式（１）の対応値がその下限を上回ることで、コマ収差，像面湾曲，非点収差，色収差等の補正が容易となる。
【００２２】
条件式（２）は、大口径化を図る上での第４レンズの最適な形状を規定した条件式である。第４レンズは、第１レンズとともに正のパワー（パワー：焦点距離の逆数で定義される量）を有し、低背化に対して大きな役割を担っている。条件式（２）の対応値がその上限を下回ることで、第４レンズの物体側面の曲率半径が極端に強くなるのを防ぐことができるため、物体側面で発生する高次の球面収差やコマ収差を抑えることができる。一方、条件式（２）の対応値がその下限を上回ることで、第４レンズの物体側面の曲率半径を適度に維持することができるため、撮像素子周辺部へ向かう光線の物体側面への入射角を小さくすることができ、コマ収差，歪曲収差等を抑えることができる。
【００２３】
条件式（３）は、第２レンズの焦点距離を適切に設定するための条件式である。条件式（３）の上限を上回ると、第２レンズの負のパワーが強くなりすぎて、コマ収差を他のレンズで補正しきれなくなる。また条件式（３）の下限を下回ると、第１レンズで発生する球面収差と軸上色収差を十分に補正できなくなる。
【００２４】
条件式（４）は、第５レンズの厚みを適切に設定するための条件式である。条件式（４）の上限を上回ると、歪曲収差の補正が十分でなくなるとともに、テレフォトタイプのメリットが活かせず低背化を図ることが困難になってしまう。また条件式（４）の下限を下回ると、第５レンズの周辺部のパワーを強めることができないため像面湾曲の補正が不十分となり、また、像側光束のテレセントリック性が悪化して、周辺光量を確保することが困難となってしまう。
【００２５】
以上の説明から分かるように、本発明に係る撮像レンズの特徴的構成によると、従来タイプより小型でありながらも諸収差が良好に補正された、Ｆ２．０程度の明るい５枚構成の撮像レンズ及びそれを備えた撮像光学装置を実現することが可能である。そして、その撮像光学装置を携帯電話，携帯情報端末等のデジタル機器に用いれば、デジタル機器に対し高性能の画像入力機能をコンパクトに付加することが可能となり、そのコンパクト化，高性能化，高機能化等に寄与することができる。こういった効果をバランス良く得るとともに、更に高い光学性能，小型化等を達成するための条件等を以下に説明する。
【００２６】
撮像レンズの小型化、特に低背化に関しては、以下の条件式（α１）を満たすレベルにあることが好ましい。この条件式（α１）を満たすことにより、前述した良好な収差性能及び明るさを保ちながら撮像レンズ及び撮像光学装置の低背化及び軽量化が可能となる。例えば、スマートフォン（高機能携帯電話）やタブレット端末に搭載される撮像光学装置では、条件式（α１）を満たすとともに、ＴＬ≦５．０ｍｍを満たすことが好ましく、ＴＬ≦４．５ｍｍを満たすことが更に好ましい。
ＴＬ／２Ｙ’≦０．９  …（α１）
ただし、
ＴＬ：レンズ全長（撮像レンズ全系の最も物体側のレンズ面から像側焦点までの光軸上の距離）、
２Ｙ’：撮像素子の撮像面の対角線長（例えば、固体撮像素子の矩形実効画素領域の対角線長）、
である。
【００２７】
以下の条件式（１ａ）を満足することが更に望ましい。
０．８≦（ｒ２Ｆ＋ｒ２Ｒ）／（ｒ２Ｆ−ｒ２Ｒ）≦１．０  …（１ａ）
この条件式（１ａ）は、前記条件式（１）が規定している条件範囲のなかでも、前記観点等に基づいた更に好ましい条件範囲を規定している。したがって、好ましくは条件式（１ａ）を満たすことにより、前記効果をより一層大きくすることができる。
【００２８】
以下の条件式（２ａ）を満足することが更に望ましい。
１．０≦（ｒ４Ｆ＋ｒ４Ｒ）／（ｒ４Ｆ−ｒ４Ｒ）≦１．５  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、前記効果をより一層大きくすることができる。
【００２９】
以下の条件式（３ａ）を満足することが更に望ましい。
−１．４≦ｆ２／ｆ≦−０．９  …（３ａ）
この条件式（３ａ）は、前記条件式（３）が規定している条件範囲のなかでも、前記観点等に基づいた更に好ましい条件範囲を規定している。したがって、好ましくは条件式（３ａ）を満たすことにより、前記効果をより一層大きくすることができる。
【００３０】
以下の条件式（４ａ）を満足することが更に望ましい。
−０．２００≦Ｔ５／ｆ５≦−０．０１０  …（４ａ）
この条件式（４ａ）は、前記条件式（４）が規定している条件範囲のなかでも、前記観点等に基づいた更に好ましい条件範囲を規定している。したがって、好ましくは条件式（４ａ）を満たすことにより、前記効果をより一層大きくすることができる。
【００３１】
以下の条件式（５）を満足することが望ましい。
０．４≦ｆ１／ｆ≦０．８  …（５）
ただし、
ｆ１：第１レンズの焦点距離、
ｆ：撮像レンズ全系の焦点距離、
である。
【００３２】
条件式（５）は、第１レンズの焦点距離を適切に設定するための条件式である。条件式（５）の上限を上回ると、光束の収斂性が悪くなるため、低背化を図りつつ大口径とすることが困難となり、それを防ぐために第４レンズの正パワーを強めると、今度はコマ収差や非点収差の抑制が困難となる。また条件式（５）の下限を下回ると、第１レンズで発生する球面収差と軸上色収差を他のレンズで十分に補正することが困難となる。
【００３３】
以下の条件式（５ａ）を満足することが更に望ましい。
０．５≦ｆ１／ｆ≦０．８  …（５ａ）
この条件式（５ａ）は、前記条件式（５）が規定している条件範囲のなかでも、前記観点等に基づいた更に好ましい条件範囲を規定している。したがって、好ましくは条件式（５ａ）を満たすことにより、前記効果をより一層大きくすることができる。
【００３４】
以下の条件式（６）を満足することが望ましい。
０．１５≦Ｔ１／ｆ≦０．２８  …（６）
ただし、
Ｔ１：第１レンズの光軸上の厚み、
ｆ：撮像レンズ全系の焦点距離、
である。
【００３５】
条件式（６）は、第１レンズの厚みを適切に設定するための条件式である。条件式（６）の上限を上回った場合、第１レンズで所望の正パワーを得ようとすると物体側面の曲率が極端に強くなりすぎて、球面収差やコマ収差の発生を抑制することが困難となる。また条件式（６）の下限を下回った場合、第１レンズで低背化に必要な正のパワーを十分に得ることができないため、第４レンズのパワーを強くする必要が生じ、コマ収差や非点収差の増大につながってしまう。
【００３６】
以下の条件式（６ａ）を満足することが更に望ましい。
０．１６≦Ｔ１／ｆ≦０．２４  …（６ａ）
この条件式（６ａ）は、前記条件式（６）が規定している条件範囲のなかでも、前記観点等に基づいた更に好ましい条件範囲を規定している。したがって、好ましくは条件式（６ａ）を満たすことにより、前記効果をより一層大きくすることができる。
【００３７】
前記第５レンズの像側面が、光軸上で像側に凹面を向けた非球面形状を有し、光軸に沿ったレンズ断面の輪郭線において光軸との交点から有効領域端に向かった場合に光軸との交点以外の位置に変曲点を有することが望ましい。ここで「変曲点」とは、有効半径内でのレンズ断面形状の曲線において、非球面上の接平面が光軸と垂直な平面となるような非球面上の点のことである。前記第５レンズの像側面を上記のような特徴を有する凹面基準の所望の非球面形状とすることにより、歪曲収差の良好な補正を行うことが可能となり、それに加えて、像側光束のテレセントリック性を光軸近傍から画面全域にわたって良好に制御することが可能となる。
【００３８】
レンズは全てプラスチック材料で形成されていることが望ましい。つまり、撮像レンズはレンズとしてプラスチックレンズのみを有することが望ましい。近年では、固体撮像素子を含む撮像光学装置全体の小型化を目的とし、同じ画素数の固体撮像素子であっても、画素ピッチが小さく、結果として撮像面サイズの小さいものが開発されている。このような撮像面サイズの小さい固体撮像素子向けの撮像レンズは、全系の焦点距離を比較的に短くする必要があるため、各レンズの曲率半径や外径がかなり小さくなってしまう。したがって、手間のかかる研磨加工により製造するガラスレンズと比較すれば、全てのレンズを、射出成形により製造されるプラスチックレンズで構成することにより、曲率半径や外径の小さなレンズであっても安価に大量生産が可能となる。また、プラスチックレンズはプレス温度を低くできることから、成形金型の損耗を抑えることができ、その結果、成形金型の交換回数やメンテナンス回数を減少させ、コスト低減を図ることができる。
【００３９】
本発明に係る撮像レンズは、画像入力機能付きデジタル機器（例えば携帯端末）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器を実現することができる。
【００４０】
画像入力機能付きデジタル機器の例としては、デジタルカメラ，ビデオカメラ，監視カメラ，車載カメラ，テレビ電話用カメラ等のカメラが挙げられる。また、パーソナルコンピュータ，携帯用デジタル機器（例えば、携帯電話，スマートフォン，タブレット端末，モバイルコンピュータ等の小型情報機器端末），これらの周辺機器（スキャナー，プリンター等），その他のデジタル機器等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００４１】
図１３に、画像入力機能付きデジタル機器の一例として、デジタル機器ＤＵの概略構成例を模式的断面で示す。図１３に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、平行平板ＰＴ（撮像素子ＳＲのカバーガラス；必要に応じて配置される光学的ローパスフィルター，赤外カットフィルター等の光学フィルター等に相当する。）と、撮像レンズＬＮにより受光面（撮像面）ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱自在又は回動自在に構成することが可能である。
【００４２】
撮像レンズＬＮは、前述したように、物体側より順に第１〜第５レンズからなる単焦点の５枚構成からなり、撮像素子ＳＲの受光面ＳＳ上に光学像ＩＭを形成する構成になっている。撮像素子ＳＲとしては、例えば複数の画素を有するＣＣＤ型イメージセンサ，ＣＭＯＳ型イメージセンサ等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００４３】
デジタル機器ＤＵは、撮像光学装置ＬＵの他に、信号処理部１，制御部２，メモリ３，操作部４，表示部５等を備えている。撮像素子ＳＲで生成した信号は、信号処理部１で所定のデジタル画像処理や画像圧縮処理等が必要に応じて施され、デジタル映像信号としてメモリ３（半導体メモリ，光ディスク等）に記録されたり、場合によってはケーブルを介したり赤外線信号等に変換されたりして他の機器に伝送される（例えば携帯電話の通信機能）。制御部２はマイクロコンピュータからなっており、撮影機能（静止画撮影機能，動画撮影機能等），画像再生機能等の機能の制御；フォーカシングのためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリ３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００４４】
次に、第１〜第６の実施の形態を挙げて、撮像レンズＬＮの具体的な光学構成を更に詳しく説明する。図１，図３，図５，図７，図９，図１１に、無限遠合焦状態にある撮像レンズＬＮの第１〜第６の実施の形態を光学断面でそれぞれ示す。第ｊレンズＬｊは物体側からｊ番目に位置するレンズであり、撮像レンズＬＮの像側に配置されている平行平板ＰＴは、光学的ローパスフィルター，ＩＲカットフィルター，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第１レンズＬ１から第５レンズＬ５までを一体で移動させて行う全体フォーカスを想定している。
【００４５】
第１〜第６の実施の形態の撮像レンズＬＮでは、物体側から順に、開口絞りＳＴ，正の第１レンズＬ１，負の第２レンズＬ２，正又は負の第３レンズＬ３，正の第４レンズＬ４及び負の第５レンズＬ５の順に配置されている。いずれも、第１レンズＬ１は物体側に凸面を向け、第２レンズＬ２は像側に凹面を向けている。また、第５レンズの像側面は、光軸ＡＸとの交点以外の位置に変曲点を有する非球面からなっている。
【００４６】
ところで、プラスチック材料は温度変化時の屈折率変化が大きいため、全てのレンズをプラスチックレンズで構成すると、周囲温度が変化した際に、撮像レンズ全系の像点位置が変動してしまうという問題をかかえることになる。しかし最近では、プラスチック材料中に無機微粒子を混合させると、プラスチック材料が受ける温度変化の影響を小さくできることが分かってきた。詳細に説明すると、一般に透明なプラスチック材料に微粒子を混合させると、光の散乱が生じて透過率が低下するため、光学材料として使用することは困難であったが、微粒子の大きさを透過光束の波長より小さくすれば、散乱が実質的に発生しないようにすることができるのである。
【００４７】
また、プラスチック材料は温度が上昇することにより屈折率が低下してしまうが、無機粒子は温度が上昇すると屈折率が上昇する。そこで、これらの温度依存性を利用して互いに打ち消し合うように作用させることにより、屈折率変化がほとんど生じないようにすることができる。具体的には、母材となるプラスチック材料に最大長が２０ナノメートル以下の無機粒子を分散させることにより、屈折率の温度依存性のきわめて低いプラスチック材料とすることができる。例えば、アクリル樹脂に酸化ニオブ（Ｎｂ2Ｏ5）の微粒子を分散させることにより、温度変化による屈折率変化を小さくすることができる。
【００４８】
本発明に係る撮像レンズＬＮでは、比較的屈折力の大きな正レンズ（例えば、第１レンズＬ１，第４レンズＬ４）、又はすべてのレンズ（第１〜第５レンズＬ１〜Ｌ５）に、このような無機粒子を分散させたプラスチック材料を用いることにより、撮像レンズＬＮ全系の温度変化時の像点位置変動を小さく抑えることが可能となる。
【００４９】
上述した各実施の形態や後述する各実施例では、固体撮像素子の撮像面に入射する光束の主光線入射角が、撮像面周辺部において必ずしも十分に小さい設計にはなっていない。しかし、最近の技術では、固体撮像素子の色フィルターやオンチップマイクロレンズアレイの配列の見直しによって、シェーディングを軽減することができるようになってきている。具体的には、撮像素子の撮像面の画素ピッチに対し、色フィルターやオンチップマイクロレンズアレイの配列のピッチをわずかに小さく設定すれば、撮像面の周辺部にいくほど各画素に対し色フィルターやオンチップマイクロレンズアレイが撮像レンズ光軸側へシフトするため、斜入射の光束を効率的に各画素の受光部に導くことができる。これにより固体撮像素子で発生するシェーディングを小さく抑えることができる。後述する各実施例では、前記要求が緩和された分について、より小型化を目指した設計例となっている。
【実施例】
【００５０】
以下、本発明を実施した撮像レンズの構成等を、実施例のコンストラクションデータ等を挙げて更に具体的に説明する。ここで挙げる実施例１〜６（ＥＸ１〜６）は、前述した第１〜第６の実施の形態にそれぞれ対応する数値実施例であり、第１〜第６の実施の形態を表す光学構成図（図１，図３，図５，図７，図９，図１１）は、対応する実施例１〜６のレンズ構成をそれぞれ示している。
【００５１】
各実施例のコンストラクションデータでは、面データとして、左側の欄から順に、面番号，曲率半径ｒ（ｍｍ），軸上面間隔ｄ（ｍｍ），ｄ線（波長：５８７．５６ｎｍ）に関する屈折率ｎｄ，ｄ線に関するアッベ数ｖｄを示す。面番号に＊が付された面は非球面であり、その面形状は面頂点を原点とするローカルな直交座標系（Ｘ，Ｙ，Ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
【００５２】
【数１】
2014123097.tif 000003
…（ＡＳ）
【００５３】
ただし、
ｈ：Ｘ軸（光軸ＡＸ）に対して垂直な方向の高さ（ｈ2＝Ｙ2＋Ｚ2）、
Ｘ：高さｈの位置での光軸ＡＸ方向のサグ量（面頂点基準）、
Ｒ：基準曲率半径（曲率半径ｒに相当する。）、
Ｋ：円錐定数、
Ａｉ：ｉ次の非球面係数、
である。
【００５４】
各種データとして、撮像レンズ全系の焦点距離（ｆ，ｍｍ），バックフォーカス（ｆＢ，ｍｍ），Ｆナンバー（Ｆ），撮像素子ＳＲの撮像面ＳＳの対角線長（２Ｙ’，ｍｍ；Ｙ’：最大像高），レンズ全長（ＴＬ，ｍｍ），半画角（ω，°），条件式（α１）の対応値（ＴＬ／２Ｙ’）を示し、さらに単レンズデータとして各レンズの焦点距離（ｍｍ）を示す。ただし、ここで使っているバックフォーカスｆＢは平行平板ＰＴの像側面から像面ＩＭまでの距離であり、レンズ全長ＴＬはレンズ最前面から像面ＩＭまでの距離である。また、表１に各実施例の条件式対応値を示す。
【００５５】
図２，図４，図６，図８，図１０，図１２は、実施例１〜６（ＥＸ１〜６）の収差図であり、（Ａ）は球面収差（ｍｍ）、（Ｂ）は非点収差（ｍｍ）、（Ｃ）は歪曲収差（％）を示している。球面収差図（Ａ）において、実線はｄ線（波長５８７．５６ｎｍ）に対する球面収差量、破線はｇ線（波長４３５．８４ｎｍ）に対する球面収差量、一点鎖線はｃ線（波長６５６．２８ｎｍ）に対する球面収差量を、それぞれ近軸像面からの光軸ＡＸ方向のズレ量で表しており、縦軸はＦ値を表している。非点収差図（Ｂ）において、破線Ｍはｄ線に対するメリディオナル像面、実線Ｓはｄ線に対するサジタル像面を、それぞれ近軸像面からの光軸ＡＸ方向のズレ量で表しており、縦軸は像高Ｙ’（ｍｍ）を表している。歪曲収差図（Ｃ）において、横軸はｄ線に対する歪曲を表しており、縦軸は像高Ｙ’（ｍｍ）を表している。なお、最大像高Ｙ’は、撮像素子ＳＲの撮像面ＳＳの対角線長の半分に相当する。
【００５６】
実施例１の撮像レンズＬＮ（図１）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、全てのレンズがプラスチック材料から形成されており、レンズ面は全て非球面である。近軸の面形状で各レンズを見た場合、第１レンズＬ１は両凸の正レンズであり、第２レンズＬ２は両凹の負レンズであり、第３レンズＬ３は物体側に凸の正の平凸レンズであり、第４レンズＬ４は像側に凸の正メニスカスレンズであり、第５レンズＬ５は両凹の負レンズである。なお、撮像レンズＬＮの像側には、フィルター（例えば、光学的ローパスフィルターやＩＲカットフィルター）、固体撮像素子のシールガラス等を想定した平行平板ＰＴが配置されている。
【００５７】
実施例２の撮像レンズＬＮ（図３）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、全てのレンズがプラスチック材料から形成されており、レンズ面は全て非球面である。近軸の面形状で各レンズを見た場合、第１レンズＬ１は両凸の正レンズであり、第２レンズＬ２は両凹の負レンズであり、第３レンズＬ３は物体側に凸の正の平凸レンズであり、第４レンズＬ４は像側に凸の正メニスカスレンズであり、第５レンズＬ５は両凹の負レンズである。なお、撮像レンズＬＮの像側には、フィルター（例えば、光学的ローパスフィルターやＩＲカットフィルター）、固体撮像素子のシールガラス等を想定した平行平板ＰＴが配置されている。
【００５８】
実施例３の撮像レンズＬＮ（図５）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、全てのレンズがプラスチック材料から形成されており、レンズ面は全て非球面である。近軸の面形状で各レンズを見た場合、第１レンズＬ１は両凸の正レンズであり、第２レンズＬ２は両凹の負レンズであり、第３レンズＬ３は物体側に凸の正の平凸レンズであり、第４レンズＬ４は像側に凸の正メニスカスレンズであり、第５レンズＬ５は両凹の負レンズである。なお、撮像レンズＬＮの像側には、フィルター（例えば、光学的ローパスフィルターやＩＲカットフィルター）、固体撮像素子のシールガラス等を想定した平行平板ＰＴが配置されている。
【００５９】
実施例４の撮像レンズＬＮ（図７）は、物体側から順に、開口絞りＳＴと、正の第１レンズＬ１と、負の第２レンズＬ２と、負の第３レンズＬ３と、正の第４レンズＬ４と、負の第５レンズＬ５と、から構成されており、全てのレンズがプラスチック材料から形成されており、レンズ面は全て非球面である。近軸の面形状で各レンズを見た場合、第１レンズＬ１は両凸の正レンズであり、第２レンズＬ２は両凹の負レンズであり、第３レンズＬ３は像側に凹の負メニスカスレンズであり、第４レンズＬ４は像側に凸の正メニスカスレンズであり、第５レンズＬ５は両凹の負レンズである。なお、撮像レンズＬＮの像側には、フィルター（例えば、光学的ローパスフィルターやＩＲカットフィルター）、固体撮像素子のシールガラス等を想定した平行平板ＰＴが配置されている。
【００６０】
実施例５の撮像レンズＬＮ（図９）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、全てのレンズがプラスチック材料から形成されており、レンズ面は全て非球面である。近軸の面形状で各レンズを見た場合、第１レンズＬ１は両凸の正レンズであり、第２レンズＬ２は両凹の負レンズであり、第３レンズＬ３は物体側に凸の正の平凸レンズであり、第４レンズＬ４は像側に凸の正メニスカスレンズであり、第５レンズＬ５は両凹の負レンズである。なお、撮像レンズＬＮの像側には、フィルター（例えば、光学的ローパスフィルターやＩＲカットフィルター）、固体撮像素子のシールガラス等を想定した平行平板ＰＴが配置されている。
【００６１】
実施例６の撮像レンズＬＮ（図１１）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、全てのレンズがプラスチック材料から形成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の正の平凸レンズであり、第４レンズＬ４は像側に凸の正メニスカスレンズであり、第５レンズＬ５は両凹の負レンズである。なお、撮像レンズＬＮの像側には、フィルター（例えば、光学的ローパスフィルターやＩＲカットフィルター）、固体撮像素子のシールガラス等を想定した平行平板ＰＴが配置されている。
【００６２】
実施例１
単位：mm
面データ
面番号       r          d          nd         vd
1(絞り)       ∞     -0.249
2*         1.565      0.656      1.54470     56.2
3*        -9.695      0.051
4*       -34.573      0.200      1.63470     23.9
5*         2.807      0.438
6*        36.356      0.383      1.63470     23.9
7*            ∞      0.415
8*        -6.894      0.715      1.54470     56.2
9*        -1.064      0.315
10*      -29.593      0.290      1.54470     56.2
11*        1.067      0.428
12            ∞      0.210      1.51630     64.1
13            ∞
【００６３】
非球面データ
第2面
K=  0.73738E+00
A4= -0.23195E-01
A6= -0.19578E-01
A8=  0.29831E-01
A10= -0.91606E-01
A12=  0.89175E-01
A14= -0.51475E-01
【００６４】
第3面
K= -0.88673E+02
A4=  0.20661E-01
A6=  0.96030E-01
A8= -0.18244E+00
A10= -0.11672E-02
A12=  0.46941E-01
A14=  0.10608E-01
【００６５】
第4面
K=  0.21528E+02
A4=  0.10799E-01
A6=  0.17926E+00
A8= -0.24119E+00
A10= -0.83162E-01
A12=  0.19900E+00
A14= -0.30968E-01
【００６６】
第5面
K= -0.31344E+02
A4=  0.15544E+00
A6= -0.67883E-01
A8=  0.73401E-01
A10= -0.42046E-02
A12= -0.81554E-01
A14=  0.84143E-01
【００６７】
第6面
K= -0.78894E+02
A3= -0.41274E-01
A4=  0.28108E-01
A5= -0.18551E+00
A6=  0.79822E-01
A7=  0.12609E+00
A8= -0.73527E-01
A10= -0.66279E-01
A12=  0.11943E+00
A14= -0.53716E-01
【００６８】
第7面
K=  0.00000E+00
A4= -0.85797E-01
A6=  0.54167E-01
A8= -0.55051E-01
A10=  0.31289E-01
A12=  0.82636E-02
A14= -0.59250E-02
【００６９】
第8面
K=  0.14976E+02
A3=  0.34873E-01
A4= -0.63497E-01
A5= -0.63073E-02
A6=  0.73208E-01
A7= -0.12114E-02
A8= -0.31550E-01
A10= -0.92739E-02
A12=  0.11271E-01
A14= -0.30433E-02
【００７０】
第9面
K= -0.41827E+01
A4= -0.79722E-01
A6=  0.74067E-01
A8= -0.24708E-01
A10=  0.41068E-02
A12= -0.10678E-02
A14=  0.12695E-03
【００７１】
第10面
K=  0.21670E+02
A3= -0.17800E+00
A4=  0.38445E-01
A5=  0.89935E-02
A6= -0.17622E-02
A7=  0.64112E-03
A8=  0.43367E-03
A10= -0.13239E-04
A12= -0.21143E-04
A14=  0.19746E-05
【００７２】
第11面
K= -0.70403E+01
A3= -0.92091E-01
A4=  0.10464E-01
A5= -0.55640E-02
A6=  0.53312E-02
A7=  0.11416E-03
A8= -0.12349E-02
A10=  0.10165E-03
A12= -0.11113E-04
A14=  0.14035E-05
【００７３】
各種データ
f     =3.68mm
fB    =0.45mm
F     =2
2Y'   =5.842mm
TL    =4.55mm
ω    =37.4°
TL/2Y'=0.779
【００７４】
単レンズデータ
レンズ    始面   焦点距離(mm)
1       2        2.526
2       4       -4.082
3       6       57.280
4       8        2.215
5      10       -1.885
【００７５】
実施例２
単位：mm
面データ
面番号       r          d          nd         vd
1(絞り)       ∞     -0.209
2*         1.580      0.693      1.54470     56.2
3*        -8.058      0.050
4*       -54.995      0.200      1.63470     23.9
5*         2.550      0.440
6*        19.236      0.356      1.63470     23.9
7*            ∞      0.432
8*        -5.572      0.677      1.54470     56.2
9*        -1.043      0.278
10*      -41.372      0.333      1.54470     56.2
11*        1.045      0.429
12            ∞      0.210      1.51630     64.1
13            ∞
【００７６】
非球面データ
第2面
K=  0.76542E+00
A4= -0.24741E-01
A6= -0.20949E-01
A8=  0.29684E-01
A10= -0.91561E-01
A12=  0.87919E-01
A14= -0.48846E-01
【００７７】
第3面
K= -0.90001E+02
A4=  0.17985E-01
A6=  0.90968E-01
A8= -0.17974E+00
A10= -0.50235E-03
A12=  0.48086E-01
A14=  0.97721E-02
【００７８】
第4面
K= -0.73275E+02
A3= -0.27688E-01
A4=  0.75232E-01
A5= -0.81489E-01
A6=  0.20402E+00
A7=  0.40040E-01
A8= -0.29621E+00
A10= -0.25453E-01
A12=  0.14178E+00
A14= -0.84773E-02
【００７９】
第5面
K= -0.85565E+01
A3= -0.23039E-01
A4=  0.64454E-01
A5= -0.10977E-02
A6=  0.16234E+00
A7= -0.44305E-02
A8= -0.32037E+00
A10=  0.45766E+00
A12= -0.40242E+00
A14=  0.17712E+00
【００８０】
第6面
K=  0.90000E+02
A3= -0.47053E-01
A4=  0.43389E-01
A5= -0.20750E+00
A6=  0.80022E-01
A7=  0.12820E+00
A8= -0.63718E-01
A10= -0.64954E-01
A12=  0.11357E+00
A14= -0.54054E-01
【００８１】
第7面
K=  0.00000E+00
A4= -0.86795E-01
A6=  0.42711E-01
A8= -0.46117E-01
A10=  0.31680E-01
A12=  0.78676E-02
A14= -0.67256E-02
【００８２】
第8面
K=  0.13035E+02
A3=  0.44370E-01
A4= -0.72759E-01
A5=  0.10151E-01
A6=  0.72236E-01
A7= -0.39159E-02
A8= -0.32565E-01
A10= -0.78458E-02
A12=  0.11949E-01
A14= -0.35819E-02
【００８３】
第9面
K= -0.42106E+01
A4= -0.79786E-01
A6=  0.80881E-01
A8= -0.24859E-01
A10=  0.32460E-02
A12= -0.11706E-02
A14=  0.18291E-03
【００８４】
第10面
K=  0.89619E+02
A3= -0.17088E+00
A4=  0.38075E-01
A5=  0.76978E-02
A6= -0.20400E-02
A7=  0.62360E-03
A8=  0.54927E-03
A10= -0.96481E-05
A12= -0.21813E-04
A14=  0.18696E-05
【００８５】
第11面
K= -0.70569E+01
A3= -0.91431E-01
A4=  0.11947E-01
A5= -0.51300E-02
A6=  0.46480E-02
A7= -0.62277E-04
A8= -0.11926E-02
A10=  0.11361E-03
A12= -0.13079E-04
A14=  0.16715E-05
【００８６】
各種データ
f     =3.70mm
fB    =0.45mm
F     =2
2Y'   =5.867mm
TL    =4.55mm
ω    =37.3°
TL/2Y'=0.776
【００８７】
単レンズデータ
レンズ    始面   焦点距離(mm)
1       2        2.489
2       4       -3.834
3       6       30.308
4       8        2.238
5      10       -1.866
【００８８】
実施例３
単位：mm
面データ
面番号       r          d          nd         vd
1(絞り)       ∞     -0.319
2*         1.488      0.705      1.54470     56.2
3*       -39.492      0.050
4*       -33.932      0.214      1.63470     23.9
5*         3.171      0.421
6*       163.168      0.346      1.63470     23.9
7*            ∞      0.430
8*       -15.811      0.675      1.54470     56.2
9*        -1.058      0.323
10*       -2.001      0.290      1.54470     56.2
11*        2.025      0.416
12            ∞      0.210      1.51630     64.1
13            ∞
【００８９】
非球面データ
第2面
K=  0.36289E+00
A4= -0.17322E-01
A6=  0.16655E-01
A8= -0.27227E-01
A10= -0.62734E-01
A12=  0.14361E+00
A14= -0.91396E-01
【００９０】
第3面
K= -0.90000E+02
A4= -0.39662E-02
A6=  0.13781E+00
A8= -0.22259E+00
A10=  0.12637E-01
A12=  0.68653E-01
A14= -0.37730E-01
【００９１】
第4面
K=  0.90000E+02
A4=  0.19383E-01
A6=  0.17599E+00
A8= -0.21941E+00
A10= -0.10578E+00
A12=  0.19185E+00
A14= -0.61220E-01
【００９２】
第5面
K= -0.35312E+02
A4=  0.17285E+00
A6= -0.37830E-01
A8=  0.63078E-01
A10= -0.23538E-01
A12= -0.57601E-01
A14=  0.79998E-01
【００９３】
第6面
K=  0.90000E+02
A3= -0.62474E-01
A4= -0.13327E-02
A5= -0.13676E+00
A6=  0.49613E-01
A7=  0.74428E-01
A8= -0.70631E-01
A10= -0.28274E-02
A12=  0.10937E+00
A14= -0.74823E-01
【００９４】
第7面
K=  0.00000E+00
A4= -0.14874E+00
A6=  0.76527E-01
A8= -0.67515E-01
A10=  0.27299E-01
A12=  0.23732E-01
A14= -0.13708E-01
【００９５】
第8面
K= -0.55383E+02
A4= -0.11454E+00
A6=  0.62472E-01
A8= -0.21548E-01
A10= -0.23122E-02
A12=  0.68054E-02
A14= -0.28866E-02
【００９６】
第9面
K= -0.34054E+01
A4= -0.88460E-01
A6=  0.51775E-01
A8= -0.96636E-03
A10=  0.19711E-02
A12= -0.39586E-02
A14=  0.76364E-03
【００９７】
第10面
K= -0.22967E+01
A4=  0.28928E-01
A6= -0.48352E-02
A8=  0.55647E-03
A10=  0.60531E-04
A12= -0.18633E-04
A14=  0.11412E-05
【００９８】
第11面
K= -0.17978E+02
A4= -0.83226E+00
A6=  0.37675E-01
A8=  0.21288E-02
A10=  0.90556E-02
A12=  0.94940E-04
A14=  0.17570E-04
【００９９】
各種データ
f     =3.67mm
fB    =0.45mm
F     =1.9
2Y'   =5.867mm
TL    =4.55mm
ω    =37.3°
TL/2Y'=0.776
【０１００】
単レンズデータ
レンズ    始面   焦点距離(mm)
1       2        2.648
2       4       -4.559
3       6      257.080
4       8        2.049
5      10       -1.802
【０１０１】
実施例４
単位：mm
面データ
面番号       r          d          nd         vd
1(絞り)       ∞     -0.319
2*         1.462      0.679      1.54470     56.2
3*       -51.575      0.053
4*       -40.481      0.200      1.63470     23.9
5*         3.212      0.409
6*        17.627      0.357      1.63470     23.9
7*        11.270      0.375
8*       -10.263      0.750      1.54470     56.2
9*        -1.011      0.335
10*       -2.179      0.290      1.54470     56.2
11*        1.910      0.420
12            ∞      0.210      1.51630     64.1
13            ∞
【０１０２】
非球面データ
第2面
K=  0.33674E+00
A4= -0.17733E-01
A6=  0.15840E-01
A8= -0.29978E-01
A10= -0.63238E-01
A12=  0.14385E+00
A14= -0.95794E-01
【０１０３】
第3面
K=  0.37461E+02
A4= -0.42011E-02
A6=  0.13715E+00
A8= -0.22216E+00
A10=  0.14550E-01
A12=  0.71162E-01
A14= -0.33228E-01
【０１０４】
第4面
K= -0.90000E+02
A4=  0.29951E-01
A6=  0.18411E+00
A8= -0.21374E+00
A10= -0.10252E+00
A12=  0.19702E+00
A14= -0.52139E-01
【０１０５】
第5面
K= -0.39888E+02
A4=  0.18399E+00
A6= -0.34234E-01
A8=  0.60822E-01
A10= -0.13810E-01
A12= -0.38486E-01
A14=  0.79998E-01
【０１０６】
第6面
K=  0.90000E+02
A3= -0.58359E-01
A4= -0.30616E-01
A5= -0.11680E+00
A6=  0.53316E-01
A7=  0.64245E-01
A8= -0.80561E-01
A10=  0.10711E-02
A12=  0.11028E+00
A14= -0.76128E-01
【０１０７】
第7面
K=  0.00000E+00
A4= -0.14684E+00
A6=  0.83204E-01
A8= -0.65893E-01
A10=  0.22765E-01
A12=  0.22175E-01
A14= -0.11905E-01
【０１０８】
第8面
K= -0.68240E+02
A4= -0.11455E+00
A6=  0.64854E-01
A8= -0.20558E-01
A10= -0.29174E-02
A12=  0.58903E-02
A14= -0.24409E-02
【０１０９】
第9面
K= -0.32836E+01
A4= -0.93014E-01
A6=  0.45925E-01
A8=  0.17897E-03
A10=  0.28849E-02
A12= -0.39190E-02
A14=  0.64414E-03
【０１１０】
第10面
K= -0.25363E+01
A4=  0.25181E-01
A6= -0.49877E-02
A8=  0.60469E-03
A10=  0.65707E-04
A12= -0.18467E-04
A14=  0.10291E-05
【０１１１】
第11面
K= -0.18004E+02
A4= -0.33311E-01
A6=  0.66857E-02
A8= -0.14313E-02
A10=  0.11540E-03
A12= -0.11084E-05
A14=  0.94421E-07
【０１１２】
各種データ
f     =3.66mm
fB    =0.45mm
F     =1.9
2Y'   =5.867mm
TL    =4.53mm
ω    =37.6°
TL/2Y'=0.772
【０１１３】
単レンズデータ
レンズ    始面   焦点距離(mm)
1       2        2.621
2       4       -4.680
3       6      -50.337
4       8        2.001
5      10       -1.823
【０１１４】
実施例５
単位：mm
面データ
面番号       r          d          nd         vd
1(絞り)       ∞     -0.253
2*         1.571      0.673      1.54470     56.2
3*        -8.821      0.050
4*       -28.176      0.200      1.63470     23.9
5*         2.744      0.441
6*        21.648      0.357      1.63470     23.9
7*            ∞      0.438
8*        -6.517      0.715      1.54470     56.2
9*        -1.058      0.301
10*      -23.838      0.290      1.54470     56.2
11*        1.061      0.427
12            ∞      0.210      1.51630     64.1
13            ∞
【０１１５】
非球面データ
第2面
K=  0.74153E+00
A4= -0.24204E-01
A6= -0.19768E-01
A8=  0.29285E-01
A10= -0.90081E-01
A12=  0.87245E-01
A14= -0.49909E-01
【０１１６】
第3面
K= -0.78010E+02
A4=  0.19474E-01
A6=  0.94270E-01
A8= -0.18031E+00
A10= -0.16043E-02
A12=  0.47373E-01
A14=  0.99755E-02
【０１１７】
第4面
K= -0.90000E+02
A4=  0.90791E-02
A6=  0.17611E+00
A8= -0.23815E+00
A10= -0.81703E-01
A12=  0.19480E+00
A14= -0.30000E-01
【０１１８】
第5面
K= -0.29786E+02
A4=  0.15575E+00
A6= -0.68478E-01
A8=  0.69745E-01
A10= -0.51907E-02
A12= -0.80841E-01
A14=  0.81258E-01
【０１１９】
第6面
K=  0.90000E+02
A3= -0.42536E-01
A4=  0.36743E-01
A5= -0.19388E+00
A6=  0.78760E-01
A7=  0.12311E+00
A8= -0.68845E-01
A10= -0.62217E-01
A12=  0.11445E+00
A14= -0.54920E-01
【０１２０】
第7面
K=  0.00000E+00
A4= -0.83995E-01
A6=  0.47298E-01
A8= -0.50543E-01
A10=  0.32305E-01
A12=  0.82350E-02
A14= -0.68592E-02
【０１２１】
第8面
K=  0.17517E+02
A3=  0.32512E-01
A4= -0.61123E-01
A5= -0.70964E-02
A6=  0.76368E-01
A7= -0.23964E-02
A8= -0.32484E-01
A10= -0.76448E-02
A12=  0.11083E-01
A14= -0.31857E-02
【０１２２】
第9面
K= -0.42421E+01
A4= -0.79276E-01
A6=  0.74501E-01
A8= -0.24351E-01
A10=  0.39327E-02
A12= -0.10544E-02
A14=  0.11876E-03
【０１２３】
第10面
K=  0.33071E+02
A3= -0.17066E+00
A4=  0.38973E-01
A5=  0.77206E-02
A6= -0.21364E-02
A7=  0.58901E-03
A8=  0.54576E-03
A10= -0.82460E-05
A12= -0.21300E-04
A14=  0.18019E-05
【０１２４】
第11面
K= -0.71220E+01
A3= -0.91282E-01
A4=  0.11508E-01
A5= -0.50750E-02
A6=  0.46791E-02
A7= -0.17433E-04
A8= -0.11868E-02
A10=  0.11681E-03
A12= -0.12854E-04
A14=  0.14995E-05
【０１２５】
各種データ
f     =3.70mm
fB    =0.45mm
F     =2
2Y'   =5.867mm
TL    =4.55mm
ω    =37.4°
TL/2Y'=0.776
【０１２６】
単レンズデータ
レンズ    始面   焦点距離(mm)
1       2        2.505
2       4       -3.930
3       6       34.108
4       8        2.215
5      10       -1.857
【０１２７】
実施例６
単位：mm
面データ
面番号       r          d          nd         vd
1(絞り)       ∞     -0.223
2*         1.571      0.780      1.54470     56.2
3*       -10.075      0.050
4*        35.877      0.200      1.63470     23.9
5*         2.208      0.414
6*        19.236      0.356      1.63470     23.9
7*            ∞      0.473
8*        -5.572      0.677      1.54470     56.2
9*        -1.043      0.201
10*      -35.637      0.406      1.54470     56.2
11*        1.097      0.568
12            ∞      0.210      1.51630     64.1
13            ∞
【０１２８】
非球面データ
第2面
K=  0.86517E+00
A3= -0.13314E-02
A4= -0.19305E-01
A5= -0.25214E-02
A6= -0.19822E-01
A7=  0.17350E-02
A8=  0.32303E-01
A10= -0.93007E-01
A12=  0.85296E-01
A14= -0.39687E-01
【０１２９】
第3面
K= -0.90000E+02
A4=  0.40858E-01
A6=  0.73150E-01
A8= -0.18654E+00
A10=  0.17233E-02
A12=  0.55018E-01
A14=  0.32962E-01
【０１３０】
第4面
K= -0.89853E+02
A3= -0.37858E-01
A4=  0.53275E-01
A5= -0.92884E-01
A6=  0.20070E+00
A7=  0.36080E-01
A8= -0.30347E+00
A10= -0.32372E-01
A12=  0.14649E+00
A14=  0.10248E-01
【０１３１】
第5面
K= -0.11153E+02
A3= -0.18124E-01
A4=  0.60877E-01
A5= -0.42686E-02
A6=  0.15302E+00
A7= -0.14624E-01
A8= -0.32432E+00
A10=  0.46890E+00
A12= -0.39333E+00
A14=  0.17111E+00
【０１３２】
第6面
K=  0.90000E+02
A3= -0.47053E-01
A4=  0.43389E-01
A5= -0.20750E+00
A6=  0.80022E-01
A7=  0.12820E+00
A8= -0.63718E-01
A10= -0.64954E-01
A12=  0.11357E+00
A14= -0.54054E-01
【０１３３】
第7面
K=  0.00000E+00
A4= -0.86795E-01
A6=  0.42711E-01
A8= -0.46117E-01
A10=  0.31680E-01
A12=  0.78676E-02
A14= -0.67256E-02
【０１３４】
第8面
K=  0.13035E+02
A3=  0.44370E-01
A4= -0.72759E-01
A5=  0.10151E-01
A6=  0.72236E-01
A7= -0.39159E-02
A8= -0.32565E-01
A10= -0.78458E-02
A12=  0.11949E-01
A14= -0.35819E-02
【０１３５】
第9面
K= -0.42106E+01
A4= -0.79786E-01
A6=  0.80881E-01
A8= -0.24859E-01
A10=  0.32460E-02
A12= -0.11706E-02
A14=  0.18291E-03
【０１３６】
第10面
K= -0.67491E+00
A3= -0.15527E+00
A4=  0.32102E-01
A5=  0.79147E-02
A6= -0.18503E-02
A7=  0.79580E-03
A8=  0.58211E-03
A10= -0.89952E-05
A12= -0.24066E-04
A14=  0.19782E-05
【０１３７】
第11面
K= -0.76364E+01
A3= -0.84595E-01
A4=  0.74896E-02
A5= -0.64723E-02
A6=  0.55090E-02
A7= -0.53477E-04
A8= -0.11827E-02
A10=  0.11185E-03
A12= -0.14550E-04
A14=  0.21714E-05
【０１３８】
各種データ
f     =3.90mm
fB    =0.45mm
F     =2.2
2Y'   =5.867mm
TL    =4.79mm
ω    =35.5°
TL/2Y'=0.816
【０１３９】
単レンズデータ
レンズ    始面   焦点距離(mm)
1       2        2.555
2       4       -3.715
3       6       30.308
4       8        2.238
5      10       -1.947
【０１４０】
【表１】
2014123097.tif 000004
【符号の説明】
【０１４１】
ＤＵ    デジタル機器
ＬＵ    撮像光学装置
ＬＮ    撮像レンズ
Ｌ１〜Ｌ５    第１〜第５レンズ
ＳＴ    開口絞り（絞り）
ＳＲ    撮像素子
ＳＳ    受光面（撮像面）
ＩＭ    像面（光学像）
ＡＸ    光軸
１    信号処理部
２    制御部
３    メモリ
４    操作部
５    表示部
【図１】
2014123097.tif 000005
【図２】
2014123097.tif 000006
【図３】
2014123097.tif 000007
【図４】
2014123097.tif 000008
【図５】
2014123097.tif 000009
【図６】
2014123097.tif 000010
【図７】
2014123097.tif 000011
【図８】
2014123097.tif 000012
【図９】
2014123097.tif 000013
【図１０】
2014123097.tif 000014
【図１１】
2014123097.tif 000015
【図１２】
2014123097.tif 000016
【図１３】
2014123097.tif 000017